(57)【特許請求の範囲】
【請求項１】
下端に点火部を備えた複数本の花火の上端を各花火間に適宜の間隔を置いた状態で可撓性の支持紐に固定し、該花火を結束手段により相互に結束し、該花火の点火部が燃焼したときにその燃焼熱により該結束手段による花火の結束が解除されるようになし、
前記結束手段は花火の下端を結束する可燃性の環状体と花火に螺旋状に巻き付けた補助結束紐とよりなり、該補助結束紐は上端を一本の花火に固定し、下端を花火と環状体との間に挿入するようにしたことを特徴とする玩具花火。
【請求項２】
前記支持紐の両端を把持棒に固定したことを特徴とする請求項１に記載の玩具花火。
【発明の詳細な説明】
【０００１】
【発明の属する技術分野】
本発明は玩具花火に関するものであり、特に支持体に複数本の花火を吊り下げてなる玩具花火に係るものである。
【０００２】
【従来の技術】
支持体に複数本の花火を吊り下げてなる玩具花火としては図５に示すものが既に知られている。図５に示す従来の玩具花火（以下、単に「従来の玩具花火」という。）は、厚紙製の支持体１に複数本の花火３の上端３ａを各花火３間に所定の間隔を置いた状態で固定し、各花火３の下端３ｂを導火線５により相互に連結してなるものである。
【０００３】
従来の玩具花火を使用する際には、厚紙製の支持体１を手で把持した状態で導火線５にロウソク等の点火手段により点火するのである。しかるときは、導火線５の火は順次各花火３の下端３ｂに移り、各花火３が次々と燃焼を開始する。
【０００４】
【発明が解決しようとする課題】
しかるに、従来の玩具花火においては、各花火は相互に所定の間隔を置いた状態で厚紙製の支持体に固定されているため、各花火の相対的な動きが全くないという点において面白味に欠けるという難点がある。また、各玩具花火に使用し得る火薬量は法令により一定以下に制限されているのであるが、従来の玩具花火は導火線を備えており、該導火線には火薬が使用されているため、導火線により連結された各花火に割り当て得る火薬量は導火線の火薬の分だけ少なくなるという問題もある。
本発明は従来の玩具花火におけるこのような問題を解決しようとしてなされたものである。
【０００５】
【課題を解決するための手段】
上記課題を解決するために、本発明は下記の玩具花火を提供するものである。
【０００６】
（１）下端に点火部を備えた複数本の花火の上端を各花火間に適宜の間隔を置いた状態で可撓性の支持紐に固定し、該花火を結束手段により相互に結束し、該花火の点火部が燃焼したときにその燃焼熱により該結束手段による花火の結束が解除されるようになし、
前記結束手段は花火の下端を結束する可燃性の環状体と花火に螺旋状に巻き付けた補助結束紐とよりなり、該補助結束紐は上端を一本の花火に固定し、下端を花火と環状体との間に挿入するようにしたことを特徴とする玩具花火。
【０００７】
（２）前記支持紐の両端を把持棒に固定する（請求項２）。
【０００８】
【作用】
［請求項１の玩具花火］
請求項１の玩具花火を使用する際には、結束手段により相互に結束された花火の下端の点火部に点火する。しかるときは、各花火の点火部が燃焼し、その燃焼熱により結束手段による花火の結束が解除される。花火の結束が解除されたことにより、可撓性の支持紐に上端が固定された複数本の花火は相互に移動自在となる。そこで、支持紐を例えば左右方向に引いて支持紐を張るのである。即ち、相互に結束されていた複数本の花火は燃焼しつつ相互の間隔が開く方向に動く。支持紐を張った状態に維持したときには、各花火は相互に所定の間隔を置いた状態に保持される。なお、花火の燃焼中に可撓性の支持紐を適宜緩め、或いは動かしてもよい。
【０００９】
花火下端の点火部に点火すると、まず花火の下端を結束する可燃性の環状体が点火部の燃焼熱により燃焼して切れるが、花火は依然として補助結束紐により一応の結束状態に保持される。即ち、環状体により固定されていた補助結束紐の下端は固定が解除されるが、補助結束紐は依然として花火に螺旋状に巻き付いた状態にある。その間にすべての花火の点火部が着火する。すべての花火の点火部が着火した後、使用者は花火に螺旋状に巻き付いている補助結束紐の力に抗して支持紐を例えば左右方向に引くのである。このように、補助結束紐は環状体が燃えて切れた後も花火を一応の結束状態に維持するため、使用者はすべての花火の着火を確認した後、支持紐を左右方向に引くことができるのである。図２参照。
【００１０】
［請求項２の玩具花火］
請求項２の玩具花火は支持紐の両端の把持棒を手に把持して使用する。
【００１１】
【発明の実施の形態】
次に、本発明の実施の形態を添付図面に従って説明する。
符号１１に示すものは本発明による玩具花火に使用される花火である。花火１１としては、例えば軸に火薬を塗着してなる花火、筒状体内に火薬を充填してなる花火、或いは一対の紙片間に火薬を挟持させてなる花火等が使用される。花火１１は下端１１ｂに点火部１３を備えている。
【００１２】
このような複数本の花火１１の上端１１ａを各花火１１間に適宜の間隔を置いた状態で可撓性の支持紐１５に固定する。
【００１３】
更に、花火１１を結束手段１７により相互に結束し、該花火１７の点火部１３が燃焼したときにその燃焼熱により該結束手段１７による花火１１の結束が解除されるようになす。
【００１４】
図示の事例における結束手段１７は花火１１の下端１１ｂを結束する可燃性の環状体１７ａと花火１１に螺旋状に巻き付けた補助結束紐１７ｂとよりなり、該補助結束紐１７ｂは上端１７ｂ’を一本の花火１１に固定し、下端１７ｂ”を花火１１と環状体１７ａとの間に挿入している。可燃性の環状体１７ａと補助結束紐１７ｂは例えば合成樹脂製又は紙製の紐とする。
【００１５】
前記支持紐１５の両端を一例として把持棒１９に固定する。なお、図４に示す事例においては、支持紐１５の一端を把持棒１９に固定し、支持紐１５の他端を植木等の支持体２１に固定している。
【００１６】
すべての花火１１を同一の長さに形成してもよいが、図示の事例においては花火１１のうちの一本の花火１１’を他の花火１１よりも長く形成し、当該一本の花火１１’における点火部１３’が他の花火１１の点火部１３よりも下方に突出するようにしている。なお、符号２３に示すものはロウソク等の点火手段である。
【００１７】
【発明の効果】
［請求項１の玩具花火］
請求項１の玩具花火においては、花火は相互に結束された状態で点火されるが、各花火の点火部が燃焼し、その燃焼熱により結束手段による花火の結束が解除された後、支持紐を例えば左右方向に引いて張ったときには各花火は燃焼しつつ間隔が開く方向に動く。このように、請求項１の玩具花火においては各花火は燃焼しつつダイナミックに動く。従って、請求項１の玩具花火は使用上極めて面白いものである。また、請求項１の玩具花火は複数本の花火を使用しているにもかかわらず導火線を使用していないため、法令による火薬量の制限の下で各花火に十分な量の火薬を割り当てることが可能となる。
【００１８】
補助結束紐は環状体が燃えて切れた後も花火を一応の結束状態に維持するため、その間にすべての花火の点火部が着火する。使用者はすべての花火の着火を確認した後、花火に螺旋状に巻き付いている補助結束紐の力に抗して支持紐を左右方向に引くことができるのである。
【００１９】
［請求項２の玩具花火］
請求項２の玩具花火は支持紐の両端の把持棒を手に把持することができるため、扱い易く且つ安全である。
【図面の簡単な説明】
【図１】本発明による玩具花火における点火時の状態を示す正面図である。
【図２】同上玩具花火において支持紐を左右方向に引きつつある状態を示す斜視図である。
【図３】同上玩具花火において支持紐を張った状態を示す斜視図である。
【図４】本発明による別の玩具花火において支持紐を張った状態を示す斜視図である。
【図５】従来の玩具花火を示す正面図である。
【符号の説明】
１  支持体
３  花火
３ａ  上端
３ｂ  下端
５  導火線
１１  花火
１１’  花火
１１ａ  上端
１１ｂ  下端
１３  点火部
１３’  点火部
１５  支持紐
１７  結束手段
１７ａ  環状体
１７ｂ  補助結束紐
１７ｂ’  上端
１７ｂ”  下端
１９  把持棒
２１  支持体
２３  点火手段
【図１】
0004188517.tif 000002
【図２】
0004188517.tif 000003
【図３】
0004188517.tif 000004
【図４】
0004188517.tif 000005
【図５】
0004188517.tif 000006